(57)【特許請求の範囲】
【請求項１】
トレイ体と、
上記トレイ体に載置された被記録媒体を送り出す給送部と、
上記給送部により送り出された被記録媒体に画像を記録する記録部と、
上記記録部で画像が記録された被記録媒体を排出する排出部と、
上記トレイ体の上方に位置し、上記排出部から排出された被記録媒体を支持可能な排紙載置面を有する排紙受け部と、を備え、
上記トレイ体は、
第１被記録媒体が載置され得る第１載置面を有する第１トレイと、
第２被記録媒体が載置され得る第２載置面を有し且つ上記第１載置面の上方を上記第１載置面に沿ってスライド可能に設けられており、上記給送部が第２被記録媒体を送り出す第１位置及び上記給送部が第１被記録媒体を送り出す第２位置にスライドにより移動する第２トレイと、
上記第２位置にある上記第２トレイの少なくとも一部の上方を覆う蓋と、
上記第２トレイが上記第１位置にあるときに第１姿勢をとり、上記第２トレイが上記第２位置にあるときに上記第１姿勢と異なる第２姿勢をとる表示部材と、
上記蓋の被記録媒体の排出方向の下流端部に形成されており、上記第１姿勢及び上記第２姿勢の上記表示部材の少なくとも一部を外部に露出させる表示窓と、を備え、
上記表示部材は、移動する上記第２トレイと接離することで姿勢変化する画像記録装置。
【請求項２】
上記蓋は、上記トレイ体に設けられた上記排紙受け部である請求項１に記載の画像記録装置。
【請求項３】
上記表示部材が上記第２姿勢から上記第１姿勢に姿勢変化する向きに上記表示部材を付勢する付勢部材、を備え、
上記表示部材は、上記蓋に姿勢変化可能に支持されており、移動する上記第２トレイにより押される第１当接部を有し、当該第１当接部が押されることで上記第１姿勢から上記第２姿勢に姿勢変化するものである請求項１又は２に記載の画像記録装置。
【請求項４】
上記表示部材は、上記蓋に回動可能に支持されたものである請求項３に記載の画像記録装置。
【請求項５】
上記表示部材に形成され、上記第２トレイの位置に応じて移動する移動部を備え、
上記表示窓は、上記移動部を外部に露出させ、上記移動部の位置に応じて上記第２トレイの位置の位置に関する表示を表示するものである請求項３又は４に記載の画像記録装置。
【請求項６】
上記排紙受け部は、
上記排紙載置面が設けられた基部と、
上記第１位置から上記第２位置に上記第２トレイが移動する向きである移動向きにおける上記基部の先端部から上記第２トレイに向かって突出し、上記第１トレイと当接する側壁と、を備えており、
上記表示部材は、上記移動向きにおける上記基部の先端部側であって上記第２トレイ側に配置されており、
上記表示窓は、上記側壁に設けられたものである請求項３から５のいずれかに記載の画像記録装置。
【請求項７】
上記第２トレイは、上記移動向きにおける先端部に、上記表示部材の上記第１当接部と当接する第２当接部を備えたものである請求項６に記載の画像記録装置。
【請求項８】
上記排紙受け部は、回動可能に上記第１トレイに支持されており、上記排紙載置面が上記第１載置面に沿う第３姿勢及び上記排紙載置面が上記第１載置面に対して起立する第４姿勢に回動により姿勢変化するものであり、
上記第２トレイのスライド方向及び上記第３姿勢における上記排紙受け部の回動方向に対して傾斜する第１傾斜面が上記第１当接部又は上記第２当接部のいずれか一方に設けられたものである請求項７に記載の画像記録装置。
【請求項９】
上記表示部材に形成され、上記第２トレイの位置に応じて移動する移動部を備え、
上記移動部は、
上記第２トレイが上記第２位置にあると上記表示窓から露出される第１表示面と、
上記第２トレイが上記第１位置にあると上記表示窓から露出される第２表示面と、を備えたものである請求項６から８のいずれかに記載の画像記録装置。
【請求項１０】
上記第１トレイは、上記第２トレイのスライド方向に延びる固定壁を備えており、
上記固定壁は、上記スライド方向に互いに離間する一対の受け部を備えており、
上記第２トレイは、
スライドのための外力を受けることが可能な操作レバーと、
上記第１位置及び上記第２位置において、上記受け部と係合する第５姿勢及び係合しない第６姿勢とに姿勢変化可能なロック部材と、を更に備えており、
上記排紙受け部は、上記操作レバーを露出させる露出部を備えており、
上記露出部と、上記ロック部材と、上記表示部材とは、上記固定壁側に集めて配置されたものである請求項３から９のいずれかに記載の画像記録装置。
【請求項１１】
上記排紙受け部から突出し当該排紙受け部と共に上記排出部から排出された第１被記録媒体及び第２被記録媒体を支持可能な第７姿勢、及び上記第２トレイのスライド方向と上記第１載置面において直交する第１方向での上記排紙受け部の中央部の下方に位置する第８姿勢に姿勢変化可能に上記排紙受け部に支持された第３トレイを更に備えており、
上記表示部材は、上記第１方向における上記排紙受け部の端部の下方に配置されたものである請求項３から１０のいずれかに記載の画像記録装置。
【請求項１２】
トレイ体と、
上記トレイ体に載置された被記録媒体を送り出す給送部と、
上記給送部により送り出された被記録媒体に画像を記録する記録部と、
上記記録部で画像が記録された被記録媒体を排出する排出部と、を備え、
上記トレイ体は、
第１被記録媒体が載置され得る第１載置面を有する第１トレイと、
第２被記録媒体が載置され得る第２載置面を有し且つ上記第１載置面の上方を上記第１載置面に沿ってスライド可能に設けられており、上記給送部が第２被記録媒体を送り出す第１位置及び上記給送部が第１被記録媒体を送り出す第２位置にスライドにより移動する第２トレイと、
上記排出部から排出された被記録媒体を支持可能な排紙載置面を有する基部と、上記第１位置から上記第２位置への上記第２トレイの移動向きにおける上記基部の先端部から上記第２トレイに向かって突出すると共に上記第１トレイと当接する側壁と、を有し、上記第２位置にある上記第２トレイの少なくとも一部の上方を覆う排紙受け部と、
上記排紙載置面とは反対側の上記基部の上記先端部側に姿勢変化可能に支持されており、移動する上記第２トレイにより押される第１当接部を有し、当該第１当接部が押されることで第１姿勢から第２姿勢に姿勢変化する表示部材と、
上記表示部材が上記第２姿勢から上記第１姿勢に姿勢変化する向きに上記表示部材を付勢する付勢部材と、を備え、
上記第２トレイは、上記移動向きにおける先端部に、上記表示部材の上記第１当接部と当接する第２当接部を備えたものであり、
上記排紙受け部は、回動可能に上記第１トレイに支持されており、上記排紙載置面が上記第１載置面に沿う第３姿勢及び上記排紙載置面が上記第１載置面に対して起立する第４姿勢に回動により姿勢変化するものであり、
上記第２トレイのスライド方向及び上記第３姿勢における上記排紙受け部の回動方向に対して傾斜する第１傾斜面が上記第１当接部又は上記第２当接部のいずれか一方に設けられたものである画像記録装置。
【発明の詳細な説明】
【技術分野】
【０００１】
本発明は、トレイ体に収容された被記録媒体を搬送して画像を記録する画像記録装置に関する。
【背景技術】
【０００２】
従来より、被記録媒体が載置可能なトレイ体と、このトレイ体が装着される本体と、を備えた画像記録装置が提供されている。本体は、トレイ体に載置された被記録媒体を給送する給送部と、この給送部によって給送された被記録媒体に画像を記録する記録部と、画像記録後の被記録媒体を排出する排出部と、が収容されている。給送部は、例えば、給送ローラである。
【０００３】
また、画像記録装置には、トレイ体が、被記録媒体をそれぞれ載置可能なメイントレイ及びセカンドトレイを備えた構成を有するものがある（例えば、特許文献１参照）。例えば、メイントレイにはＡ４、Ｂ５サイズの記録用紙が載置され、セカンドトレイには葉書が載置される。このトレイ体は、メイントレイの上方に配置されたセカンドトレイがスライド可能にメイントレイに支持された構成を有している。セカンドトレイは、給送ローラが当接する位置と、給送ローラから離間した位置との間でメイントレイの上方をメイントレイの載置面に沿ってスライドする。給送ローラは、セカンドトレイの位置により、メイントレイから被記録媒体を給送するか、セカンドトレイから被記録媒体を給送するかを変える。
【先行技術文献】
【特許文献】
【０００４】
【特許文献１】特開２００７−２３０７７７号公報
【発明の概要】
【発明が解決しようとする課題】
【０００５】
セカンドトレイが設けられたトレイ体を有する画像記録装置において、セカンドトレイの上方の少なくとも一部を覆う蓋をトレイ体に設け、メイントレイと蓋との間の空間をセカンドトレイがスライドする構成を採用することが考えられる。しかしながら、セカンドトレイが排紙トレイに隠れてセカンドトレイの位置をユーザが認識し難くなる。
【０００６】
本発明は、上記問題に鑑みてなされたものであり、セカンドトレイの位置をユーザに容易に認識させることができる画像記録装置を実現することを目的とする。
【課題を解決するための手段】
【０００７】
(1)  本発明の画像記録装置は、本体と、この本体に装着され、且つ、第１被記録媒体及び第２被記録媒体が載置可能なトレイ体と、このトレイ体に載置された被記録媒体を送り出す給送部と、この給送部により送り出された被記録媒体に画像を記録する記録部と、上記トレイ体の上方に位置し、上記記録部で画像が記録された被記録媒体を排出する排出部と、この排出部から排出された被記録媒体を支持可能な排紙載置面を有する排紙受け部と、を備えている。
【０００８】
上記トレイ体は、第１被記録媒体が載置可能な第１載置面を有する第１トレイと、第２被記録媒体が載置可能な第２載置面を有し且つ上記第１載置面の上方を上記第１載置面に沿ってスライド可能に設けられており、上記給送部が第２被記録媒体を送り出す第１位置及び上記給送部が第１被記録媒体を送り出す第２位置にスライドにより移動する第２トレイと、上記第２姿勢にある上記第２トレイの少なくとも一部の上方を覆う蓋と、上記第２トレイの移動により上記第２トレイの位置に関する表示を切り替える表示機構と、を備えている。
【０００９】
本発明の画像記録装置は、上記第２トレイの移動により表示を切り替えて表示するから、上記第２トレイの位置をユーザに容易に認識させることができる。
【００１０】
(2)  上記蓋は、上記トレイ体に設けられた上記排紙受け部であることが望ましい。上記排紙受け部が上記トレイ体に形成されるものであっても、上記排紙受け部が上記第２トレイと別体で形成されることで、上記排紙受け部を上記排出部に近付けることができる。その結果、画像記録後の被記録媒体が、表裏が反転して排出されたり、折れ曲がったりすることがなく、画像記録後の被記録媒体を上記蓋で正常に受けることができる。
【００１１】
(3)  上記表示機構は、上記蓋に姿勢変化可能に支持されており、移動する上記第２トレイにより押される第１当接部を有し、当該第１当接部が押されることで第１姿勢から第２姿勢に姿勢変化する表示部材と、上記表示部材が上記第２姿勢から上記第１姿勢に姿勢変化する向きに上記表示部材を付勢する付勢部材と、上記表示部材の姿勢変化に応じて上記第２トレイの位置に関する表示を切り換える表示部と、を備えている。
【００１２】
上記表示部材は、上記第２トレイに押されることにより、又は、上記付勢部材に付勢されることにより姿勢変化し、上記移動部の向きや位置を変えることができ、上記第２トレイの位置を検出するセンサなどを設けない簡単な構成で上記第２トレイの位置をユーザに認識させることができる。
【００１３】
(4)  上記表示部材は、上記蓋に回動可能に支持されたものであることが望ましい。更に簡単な構成で表示を切り替えることができるからである。
【００１４】
(5)  上記表示部は、上記表示部材に形成され、上記第２トレイの位置に応じて移動する移動部と、上記移動部を外部に露出させ、上記移動部の位置に応じて上記第２トレイの位置の位置に関する表示を表示する表示窓と、を備えている。上記表示機構のうち、上記移動部以外を上記排紙受け部で覆い隠すことができるからである。
【００１５】
(6)  上記排紙受け部は、上記排紙載置面が設けられた基部と、上記第１位置から上記第２位置に上記第２トレイが移動する向きである移動向きにおける上記基部の先端部から上記第２トレイに向かって突出し、上記第１トレイと当接する側壁と、を備えている。上記表示部材は、上記移動向きにおける上記基部の先端部側であって上記第２トレイ側に配置されている。上記表示窓は、上記側壁に設けられている。上記移動向きにおける画像記録装置の側方において上記第２トレイの位置を表示することができる。
【００１６】
(7)  上記第２トレイは、上記向きにおける先端部に、上記表示部材の上記第１当接部と当接する第２当接部を備えていることが望ましい。上記先端部に上記第２当接部が設けられることにより、より正確に上記第２トレイの位置を表示することができるからである。
【００１７】
(8)  上記排紙受け部は、回動可能に上記第１トレイに支持されており、上記排紙載置面が上記第１載置面に沿う第３姿勢及び上記排紙載置面が上記第１載置面に対して起立する第４姿勢に回動により姿勢変化する。上記第２トレイのスライド方向及び上記３姿勢における上記排紙受け部の回動方向に対して傾斜する第１傾斜面が、上記第１当接部又は上記第２当接部のいずれか一方に設けられている。上記排紙受け部が上記第４姿勢にある場合に上記第２トレイが上記第１位置から上記第２位置に移動され、その後、上記排紙受け部が上記第３姿勢に姿勢変化された場合においても、上記表示部材を姿勢変化させて表示を切り替えることができ、また、上記表示部材の破損を防止することができる。
【００１８】
(9)  上記表示部材の上記表示部は、上記第２トレイが上記第２位置にある状態を示す第１表示面と、上記第２トレイが上記第２位置にない状態を示す第２表示面と、を備えたものであることが望ましい。上記表示部材が姿勢変化しても、その姿勢に応じて上記表示面が露出されるように形成できるため、上記表示部の視認性が良くなる。
【００１９】
(10)  上記第１トレイは、上記第２トレイのスライド方向に延びる固定壁を備えている。この固定壁は、上記スライド方向に互いに離間する一対の受け部を備えている。上記第２トレイは、スライドのための外力を受けることが可能な操作レバーと、上記第１位置及び上記第２位置において、上記受け部と係合する第５姿勢及び係合しない第６姿勢とに姿勢変化可能なロック部材と、を更に備えている。上記排紙受け部は、上記操作レバーを露出させる露出部を備えている。この露出部と、上記ロック部材と、上記表示部材とは、上記固定壁側に集めて配置されている。
【００２０】
上記露出部と、上記ロック部材と、上記表示部材とが、上記固定壁側に集めて配置されていることにより、上記操作レバーが操作される位置と上記表示部材との位置が近い位置となるため、上記第２トレイの変位により上記表示部材の表示の切り替えを正確に行うことができる。
【００２１】
(11)  本発明の画像記録装置は、上記排紙受け部から突出し当該排紙受け部と共に上記排出部から排出された第１被記録媒体及び第２被記録媒体を支持可能な第７姿勢、及び上記第２トレイのスライド方向と上記第１載置面において直交する第１方向での上記排紙受け部の中央部の下方に位置する第８姿勢に姿勢変化可能に上記排紙受け部に支持された第３トレイを更に備えている。上記表示部材は、上記第１方向における上記排紙受け部の端部の下方に配置されている。支持可能な画像記録後の被記録媒体の量を増やすことができ、且つ、上記表示部材を上記端部の下方に配置し、上記第３トレイを中央部に配置することで、上記表示部材と上記第３トレイとの両方を上記排紙受け部に設けることができる。
【００２２】
(12)  上記表示部材の移動部は、上記第１トレイ、上記第２トレイ又は上記排紙受け部と異なる色で形成されたものであることが望ましい。上記表示部材を目立たせてユーザによる視認性を高めることができるからである。
【００２３】
(13)  上記表示部材の移動部は、上記操作レバーと同じ色で形成されていることが望ましい。色により、上記第２トレイの移動と上記表示部とを関連付けてユーザに認識させることができ、その結果、上記第２トレイの移動により上記表示部の表示が変わることをユーザに容易に認識させることができるからである。
【発明の効果】
【００２４】
本発明の画像記録装置は、上記第２トレイの位置をユーザに容易に認識させることができる。
【図面の簡単な説明】
【００２５】
【図１】画像記録装置本体の斜視図である。
【図２】プリンタ部の模式的な断面図である。
【図３】セカンドトレイが給送位置にあり排紙トレイが受け姿勢であるときのトレイ体の斜視図である。
【図４】セカンドトレイが退避位置にあり排紙トレイが受け姿勢であるときのトレイ体の斜視図である。
【図５】セカンドトレイが退避位置にあり排紙トレイが補給姿勢であるときのトレイ体の斜視図である。
【図６】セカンドトレイが給送位置にあり排紙トレイが補給姿勢であるときのトレイ体の斜視図である。
【図７】セカンドトレイの分解斜視図である。
【図８】（Ａ）は、排紙トレイがない状態であり且つセカンドトレイが退避位置にある状態のトレイ体の斜視図であり、（Ｂ）は、排紙トレイがない状態であり且つセカンドトレイが給送位置にある状態のトレイ体の斜視図である。
【図９】（Ａ）は、セカンドトレイ７０が退避位置にある状態におけるセカンドトレイ及び排紙トレイの裏面側の斜視図であり、（Ｂ）は、排紙トレイの裏面側の斜視図である。
【図１０】補助トレイが排紙トレイから引き出された状態のトレイ体の斜視図である。
【発明を実施するための形態】
【００２６】
以下、適宜図面が参照されて本発明の実施形態が説明される。本実施形態では、図１の画像記録装置本体１１と、この画像記録装置本体１１に装着される図３のトレイ体５０と、を備えた画像記録装置１０が説明される。画像記録装置本体１１は、図１に示されたように外形が概ね直方体状となる形状に形成されている。画像記録装置本体１１の高さ方向が上下方向７と定義され、奥行き方向が前後方向８と定義され、幅方向が左右方向９と定義され、以下説明がされる。また、トレイ体５０は画像記録装置本体１１に装着されているものとして以下説明がされる。
【００２７】
［画像記録装置本体１１の概略構成］
画像記録装置本体１１は、プリンタ筐体１２と、このプリンタ筐体１２の上面に載置されたスキャナ筐体１３と、このスキャナ筐体１３の上面に載置された原稿カバー１４と、を備えている。つまり、画像記録装置１０は、印刷機能、スキャン機能、コピー機能等を有する、いわゆる複合機である。プリンタ筐体１２は請求項に記載の本体に相当する。
【００２８】
プリンタ筐体１２は、トレイ体５０（図３参照）が出し入れされる開口１２Ａを前面の下部に備えている。また、プリンタ筐体１２は、トレイ体５０を前後方向８に沿ってスライド可能に支持する不図示のガイドレールを備えている。トレイ体５０は、プリンタ筐体１２から完全に取り外せるようにプリンタ筐体１２に支持されてもよいし、スライドの前後に渡ってプリンタ筐体１２に支持されてもよい。また、プリンタ筐体１２は、被記録媒体５４に画像を記録する後述のプリンタ部１５（図２参照）を上部に収容している。被記録媒体５４は、例えば、記録用紙や、光沢紙や、葉書などである。
【００２９】
スキャナ筐体１３は、原稿カバー１４を開閉可能に支持している。スキャナ筐体１３は、載置された不図示の原稿を原稿カバー１４と共に挟んで保持する。保持された原稿の画像は、スキャナ筐体１３に収容されたフラットベッドスキャナなどにより走査され、画像データとして取り込まれる。スキャナ及びプリンタ部１５の制御は、不図示の制御回路により行われる。制御回路は、図１に示された複数個の入力ボタン１６やパソコンなどの外部機器から入力された情報によりスキャナやプリンタ部１５の動作を制御して、画像の取り込みや画像の記録を行う。
【００３０】
［プリンタ部１５］
プリンタ部１５は、図２に示されたように、トレイ体５０に収容された被記録媒体５４をトレイ体５０から送り出す給送機構２０と、この給送機構２０により送り出された被記録媒体５４を搬送する搬送装置３０と、この搬送装置３０により搬送される被記録媒体５４に画像を記録する記録部４０と、この記録部４０や搬送装置３０やスキャナなどを駆動させる不図示の駆動部と、を備えている。この駆動部は、複数個のモータと、このモータの駆動力を搬送装置３０やスキャナなどに伝達する駆動伝達機構と、を備えている。モータは上述の制御回路により駆動制御される。給送機構２０は請求項に記載の給送部に相当する。記録部４０は請求項に記載の記録部に相当する。
【００３１】
給送機構２０は、プリンタ筐体１２に固定されたフレームなどに回転可能に支持され上述の駆動部により回転される棒状の回転軸２１と、この回転軸２１に一端が支持されたアーム２２と、このアーム２２の他端に回転可能に支持された左右一対の給送ローラ２３と、を備えている。
【００３２】
アーム２２は、回転軸２１を中心に回動可能に回転軸２１に一端が支持されている。したがって、給送ローラ２３が取り付けられたアーム２２の他端は、回転軸２１を中心としたアーム２２の回動により上下に変位する。つまり、給送ローラ２３は上下に変位可能である。アーム２２は、後述されるように、トレイ体５０がプリンタ筐体１２（図１参照）に脱着される際に、トレイ体５０のメイントレイ６０の右の側壁６２に設けられた第１摺接面６２Ｃ又はセカンドトレイ７０に設けられた第２摺接面７２Ｃ（図３参照）に摺接することで回動し、給送ローラ２３をトレイ体５０に収容された第１被記録媒体５４Ａ又は第２被記録媒体５４Ｂ（図２参照）に当接させる。
【００３３】
給送ローラ２３は、アーム２２に取り付けられた不図示の伝達ギアにより回転軸２１の回転が伝達されることで回転する。制御回路は、被記録媒体５４（図２参照）が後方に送り出される向きにモータを介して給送ローラ２３を回転させる。後方に送り出された被記録媒体５４は、以下に説明される搬送装置３０により搬送される。
【００３４】
［搬送装置３０］
搬送装置３０は、搬送路３１と、搬送ローラ対３２及び排紙ローラ対３３と、を備えている。搬送路３１は、複数個のガイド部材３６及びプラテン３７により形成されている。搬送路３１は、トレイ体５０の後端を起点に、トレイ体５０の上方に向かって湾曲した後、前方に向かって直線状に延びるように形成されている。プラテン３７は、トレイ体５０の上方に配置されており、直線状に延びる部分の一部を形成している。
【００３５】
［搬送ローラ対３２、排紙ローラ対３３］
搬送ローラ対３２は、上述の駆動部により回転される駆動ローラ３２Ａと、この駆動ローラ３２Ａに従動する従動ローラ３２Ｂと、を備えている。排紙ローラ対３３は、上述の駆動部により回転される駆動ローラ３３Ａと、この駆動ローラ３３Ａに従動する従動ローラ３３Ｂと、を備えている。搬送ローラ対３２は、プラテン３７の後方に配置されている。排紙ローラ対３３は、プラテン３７の前方に配置され、後述されるトレイ体５０の前後方向８の中央部の上方に位置する。搬送ローラ対３２の駆動ローラ３２Ａ及び排紙ローラ対３３の駆動ローラ３３Ａは、上述の制御回路により、被記録媒体５４を前方に向かって搬送する向きに回転される。被記録媒体５４は、搬送ローラ対３２、排紙ローラ対３３によりプラテン３７上を搬送され、以下に説明される記録部４０により画像が記録される。
【００３６】
［記録部４０］
記録部４０は、プラテン３７の上方に配置されたキャリッジ４１と、このキャリッジ４１に保持されたヘッド４２と、を備えている。キャリッジ４１は、不図示のガイドレールにより、左右方向９に沿って移動可能に支持されている。記録部４０は、プラテン３７上を通過する被記録媒体５４に向けてヘッド４２からインクを吐出する。左右方向９に沿う記録部４０の移動と前方への被記録媒体５４の搬送とにより、記録部４０は、被記録媒体５４のほぼ全面に画像を記録することができる。なお、インクにより画像を記録する記録部４０の代わりに、トナーにより画像を記録する記録部が用いられてもよい。
【００３７】
画像が記録された被記録媒体５４は、排紙ローラ対３３から排出され、以下に説明されるトレイ体５０で受けられる。画像記録後の被記録媒体５４を排出する排紙ローラ対３３は、請求項に記載の排出部に相当する。
【００３８】
［トレイ体５０］
トレイ体５０は、図３〜６に示されたように、メイントレイ６０と、このメイントレイ６０の上方に位置するセカンドトレイ７０と、このセカンドトレイ７０の上方に位置する排紙トレイ８０と、を備えており、外形が扁平な直方体状に形成されている。トレイ体５０の厚み方向がトレイ体５０の上下方向５１と定義され、トレイ体５０の奥行き方向がトレイ体５０の前後方向５２と定義され、トレイ体５０の幅方向がトレイ体５０の左右方向５３と定義され、以下説明がされる。なお、トレイ体５０がプリンタ筐体１２に装着された状態において、上下方向７と上下方向５１、前後方向８と前後方向５２、及び、左右方向９と左右方向５３は一致する。トレイ体５０は請求項に記載のトレイ体に相当し、メイントレイ６０は請求項に記載の第１トレイに相当し、セカンドトレイ７０は請求項に記載の第２トレイに相当し、排紙トレイ８０は請求項に記載の蓋及び排紙受け部に相当する。
【００３９】
［メイントレイ６０］
メイントレイ６０は、図３〜６に示されたように、第１被記録媒体５４Ａ（図２参照）が載置可能な矩形板状の底６１と、左右の側壁６２と、後壁６３と、前壁６４と、を備えており、上部が開口する箱状に形成されている。メイントレイ６０の内底面６１Ａに第１被記録媒体５４Ａが載置される。内底面６１Ａは請求項に記載の第１載置面に相当する。また、第１被記録媒体５４Ａは請求項に記載の第１被記録媒体に相当する。
【００４０】
後壁６３は、底６１の後端から後方斜め上に向かって延びるように底６１に対して傾斜している。上述の給送機構２０（図２参照）により送り出される第１被記録媒体５４Ａ及び後述の第２被記録媒体５４Ｂは、後壁６３の内側面に摺接することで後方斜め上に向かう。すなわち、後壁６３は、被記録媒体５４を搬送路３１に案内する機能を有している。
【００４１】
左右の側壁６２は、セカンドトレイ７０を支持するためのガイドレール部６６と、排紙トレイ８０を支持するための軸受孔６２Ａと、をそれぞれ備えている。ガイドレール部６６は、前後方向５２における前側では側壁６２の内側面側に設けられており、その上面にてセカンドトレイ７０を支持し、後側では側壁６２に前後方向５２に沿った溝として設けられ、その溝の内部にてセカンドトレイ７０を支持している。従って、ガイドレール部６６は、前後方向５２に沿ってスライド可能に後述のセカンドトレイ７０を支持する。軸受孔６２Ａは、側壁６２を貫通し、後述される排紙トレイ８０の回動軸突部８４が挿入されている。軸受孔６２Ａは、前後方向５２における側壁６２の中央部と後端部との間に設けられている。
【００４２】
また、右側の側壁６２は、前後一対のロック孔６２Ｂを備えている。ロック孔６２Ｂは、後述されるように、セカンドトレイ７０のスライド部７１を固定する機能を有している。ロック孔６２Ｂは、請求項に記載の受け部に相当する。また、ロック孔６２Ｂが設けられた右側の側壁６２は、請求項に記載の固定壁に相当する。
【００４３】
また、右側の側壁６２は、前方に向かうに従って下がる第１摺接面６２Ｃを上面の一部として備えている。上述のアーム２２（図２参照）がこの第１摺接面６２Ｃに摺接することで給送ローラ２３が上げ下げされる。
【００４４】
［セカンドトレイ７０］
セカンドトレイ７０は、図７に示されたように、左右方向５３に長い矩形板状のスライド部７１と、第２被記録媒体５４Ｂが載置される矩形板状の回動部７２と、を備えている。第２被記録媒体５４Ｂは、図７におけるスライド部７１の上面であるスライド載置面７１Ｄと、回動部７２の上面である回動載置面７２Ａとに載置される。回動載置面７２Ａは、請求項に記載の第２載置面に相当する。また、第２被記録媒体５４Ｂは請求項に記載の第２被記録媒体に相当する。なお、第１被記録媒体５４Ａと第２被記録媒体５４Ｂとは、種類が異なっていてもよいし、同じ種類であってもよい。
【００４５】
［スライド部７１］
図７に示されているように、スライド部７１の左右の両端からは、メイントレイ６０に設けられた上述のガイドレール部６６（図７参照）に支持される第１鍔片７１Ａがそれぞれ突出している。第１鍔片７１Ａが側壁６２に設けられた溝状のガイドレール部６６を滑ることにより、スライド部７１は前後方向５２に沿って移動する。すなわち、スライド部７１はメイントレイ６０に前後方向５２に沿ってスライド可能に支持されている。前後方向５２は、請求項に記載のスライド方向に相当する。また、スライド部７１には、後述の回動部７２を回動可能に支持する第１支持部７１Ｃが左右両部にそれぞれ設けられている。
【００４６】
スライド部７１の右部にはロック機構１００が設けられている。ロック機構１００は、ロック部材１０１と、保持部１０２と、不図示の第１ばねと、連結バー１０３と、第２支持部１０４と、リリースレバー１０５と、不図示の伝達機構と、を備えている。ロック部材１０１は、保持部１０２により左右方向５３に沿って移動可能に支持されている。第１ばねは、ロック部材１０１を右向きに付勢する。第２支持部１０４は、連結バー１０３の一端を回動可能に且つ前後方向５２に沿って移動可能に支持する。連結バー１０３は、スライド部７１から前向きに突出した姿勢と、スライド部７１から上向きに突出した姿勢との間で回動し、スライド部７１から前向きに突出した姿勢において前後方向５２に沿って移動可能である。リリースレバー１０５は、連結バー１０３がスライド部７１から前向きに突出した姿勢において、連結バー１０３の先端部から上向きに突出している。
【００４７】
伝達機構は、ユーザによりリリースレバー１０５が図７の前方に向かって移動されると、連結バー１０３の移動に連動してロック部材１０１を第１ばねの付勢力に抗して左向きに移動させ、図７に示された突出姿勢から退出姿勢にロック部材１０１を姿勢変化させる。ロック部材１０１は請求項に記載のロック部材に相当し、退出姿勢は請求項に記載の第６姿勢に相当し、突出姿勢は請求項に記載の第５姿勢に相当する。
【００４８】
突出姿勢にあるロック部材１０１がメイントレイ６０の右側壁６２に設けられた前後一対のロック孔６２Ｂの一方に嵌ることでスライド部７１は前後方向５２に沿った移動が不能となる。すなわち、スライド部７１は、ロック部材１０１が前側のロック孔６２Ｂに嵌った前方位置と、ロック部材１０１が後側のロック孔６２Ｂに嵌った後方位置との間でスライドし、上記両位置においてそれぞれロックされる。
【００４９】
［回動部７２］
矩形板状に形成された回動部７２の左右両端からは、左右一対の第２鍔片７２Ｅがそれぞれ突出している。この第２鍔片７２Ｅは、上述の第１鍔片７１Ａと共にメイントレイ６０に設けられたガイドレール部６６（図５参照）の上面に支持される。すなわち、回動部７２は、スライド部７１と共にスライド可能にメイントレイ６０に支持されている。
【００５０】
回動部７２は、回動中心軸が連結バー１０３の回動中心軸及び軸受孔６２Ｂにより回動可能にメイントレイ６０に支持される後述の排紙トレイ８０の回動中心軸とほぼ一致するように、スライド部７１に設けられた上述の第１支持部７１Ｃに回動可能に支持されている。回動部７２は、回動することにより、回動載置面７２Ａが上面となってメイントレイ６０の内底面６１Ａ（第１載置面）に当該回動載置面７２Ａが沿う倒伏位置と、回動載置面７２Ａがメイントレイ６０の内底面６１Ａに対して起立する起立位置とに移動する。
【００５１】
図３に示されたように、スライド部７１が上述の後方位置にあり、回動部７２が上述の倒伏位置にある場合のセカンドトレイ７０の位置が給送位置と称され、図４に示されたように、スライド部７１が上述の前方位置にあり、回動部７２が上述の倒伏位置にある場合のセカンドトレイ７０の位置が退避位置と称され、以下説明がされる。給送位置は請求項に記載の第１位置に相当する。退避位置は請求項に記載の第２位置に相当する。以下、特に断らない限り、回動部７２は倒伏位置であるとして説明がされる。なお、セカンドトレイ７０が給送位置にあると、回動載置面７２Ａが給送機構２０の給送ローラ２３と対向する。その結果、回動載置面７２Ａ及びスライド載置面７１Ｄに載置された第２被記録媒体５４Ｂが記録部４０に向かって給送される。また、セカンドトレイ７０が退避位置にあると、メイントレイ６０の内底面６１Ａ（第１載置面）が給送機構２０の給送ローラ２３と対向する。その結果、内底面６１Ａに載置される第１被記録媒体５４Ａが記録部４０に向かって給送される。
【００５２】
図７に示されたように、回動部７２は、リリースレバー１０５が下方から挿入される挿通孔７２Ｂを右部に備えている。この挿通孔７２Ｂの前側の周壁の上面から上向きに操作レバー７３が突出している。この操作レバー７３は、挿通孔７２Ｂに下方から挿入されたリリースレバー１０５と前後方向５２において対向している。ユーザは、操作レバー７３を支点にリリースレバー１０５を指で前に引き寄せ、ロック部材１０１をロック孔６２Ｂから外した後、前後方向５２に沿って操作レバー７３及びリリースレバー１０５を動かし、セカンドトレイ７０をスライドさせる。スライド部７１が上述の前方位置又は後方位置に到達した後、ユーザがリリースレバー１０５を離すことで上述の第１ばねに付勢されたロック部材１０１がロック孔６２Ｂに嵌る。
【００５３】
また、回動部７２は、第２摺接面７２Ｃを上面の一部として備えている。この第２摺接面７２Ｃは、回動部７２の右部に設けられており、前方に向かうに従って下がるように傾斜している。第２傾斜面７２Ｃは、トレイ体５０がプリンタ筐体１２に脱着される際にアーム２２が摺接することで、アーム２２を上げ下げする。
【００５４】
給送位置において、セカンドトレイ７０に載置された第２被記録媒体５４Ｂに給送ローラ２３が当接し、第２被記録媒体５４Ｂが搬送路３１に送り出され、画像が記録される。退避位置において、メイントレイ６０に載置された第１被記録媒体５４Ａに給送ローラ２３が当接し、第１被記録媒体５４Ａが搬送路３１に送り出され、画像が記録される。
【００５５】
セカンドトレイ７０が給送位置であるか又は退避位置であるか、すなわち、第１被記録媒体５４Ａに画像が記録されるか第２被記録媒体５４Ｂに画像が記録されるかは、後述される排紙トレイ８０に設けられた表示機構１３０により表示される。この表示機構１３０において表示を切り替えるための第２当接部７４が回動部７２の前端部の右部に設けられている。この第２当接部７４は、前方に向かうに従って下がる第１傾斜面７４Ａを備えている。第１傾斜面７４Ａの機能については後述される。第２当接部７４は、請求項に記載の第２当接部に相当し、第１傾斜面７４Ａは請求項に記載の第１傾斜面に相当する。
【００５６】
［排紙トレイ８０］
排紙トレイ８０は、図３〜６に示されたように、排紙ローラ対から排出される第１被記録媒体５４Ａ及び第２被記録媒体５４Ｂを支持可能な矩形板状の基部８１と、この基部８１の前端部からメイントレイ６０側に突出し、後述する受け姿勢においてメイントレイ６０の前壁と当接する前壁８２と、左右の側壁８３と、この左右の側壁８３の後端部から左右方向５３に沿って互いに離れる向きに突出している左右一対の回動軸突部８４と、を備えている。前壁８２は、メイントレイ６０の前壁６４と左右方向５３において略同一の幅寸法で形成されている。
排紙トレイ８０は、図３における基部８１の上面である排紙載置面８１Ａにおいて排紙ローラ対３３から排出された画像記録後の被記録媒体５４を支持する。基部８１は請求項に記載の基部に相当し、排紙載置面８１Ａは請求項に記載の排紙載置面に相当する。排紙トレイ８０は、セカンドトレイ７０が給送位置及び退避位置にあっても、セカンドトレイ７０の上方の少なくとも一部を覆うように形成されており、トレイ体５０の蓋として機能する。排紙トレイ８０によって、メイントレイ６０やセカンドトレイ７０への埃の侵入や、トレイ体５０又は画像記録装置の運搬時に被記録媒体５４や載置面等が傷つくことを防止することができる。
【００５７】
回動軸突部８４は、メイントレイ６０の左右の両側壁６２に設けられた上述の軸受孔６２Ａに上記側壁６２の内側面側から挿入されている。回動軸突部８４と軸受孔６２Ａとにより、排紙トレイ８０は、図３，４に示された受け姿勢と、図５，６に示された補給姿勢との間で回動可能にメイントレイ６０に支持される。排紙トレイ８０は、受け姿勢において、基部８１の排紙載置面８１Ａがメイントレイ６０の内底面６１Ａ（第１載置面）に沿い、補給姿勢において、排紙載置面８１Ａがメイントレイ６０の内底面６１Ａに対して起立する。受け姿勢は、請求項に記載の第３姿勢に相当し、補給姿勢は、請求項に記載の第４姿勢に相当する。なお、基部８１は、受け姿勢においてメイントレイ６０の内底面６１Ａと平行でなくともよく、排出される被記録媒体５４を受けることができる程度に内底面６１Ａに沿っていればよい。
【００５８】
上述されたように、画像記録後の被記録媒体５４を排出する排紙ローラ対３３は、前後方向８におけるトレイ体５０の中央部の上方に配置されており、また、回動軸突部８４が挿入される軸受孔６２Ａは、前後方向５２における側壁６２の中央部と後端部との間に設けられている。したがって、トレイ体５０がプリンタ筐体１２に装着された状態において、受け姿勢における排紙トレイ８０の基部８１の後部は、排紙ローラ対３３の下方に位置しており、排紙ローラ対３３から排出された画像記録後の被記録媒体５４を排紙トレイ８０で受けることができる。排紙ローラ対３３から排出された画像記録後の被記録媒体５４は、排出の向きにおける先端、即ち前端が受け姿勢における排紙載置面８１Ａ又は先に排出された被記録媒体５４を滑り、基部８１の上に積み重なっていく。
【００５９】
排紙トレイ８０の前壁８２は、受け姿勢において上下方向５１における下端がメイントレイ６０の前壁６４の上端に当接する。排紙トレイ８０は、メイントレイ６０の前壁６４により前壁８２が支持され、メイントレイ６０の側壁６２により回動軸突部８４が支持されることで、受け姿勢で保持される。前壁８２は、請求項に記載の側壁に相当する。
【００６０】
基部８１は、露出窓８６を備えている。露出窓８６は、基部８１の右部を貫通し、図３，４における前後方向５２に延びる長孔状に形成され、セカンドトレイ７０のスライドの前後に渡って上述の操作レバー７３及びリリースレバー１０５をトレイ体５０の外部に露出させる。ユーザは、露出窓８６を介して操作レバー７３及びリリースレバー１０５を操作することでセカンドトレイ７０をスライドさせる。ここにおいて、操作レバー７３及びリリースレバー１０５は、排紙載置面８１Ａよりも上に突出しないように設けられている。従って、排紙ローラ対３３から排出された画像記録後の被記録媒体５４は、排紙載置面８１Ａを滑る際に操作レバー７３及びリリースレバー１０５に引っ掛かることがない。操作レバー７３及びリリースレバー１０５は請求項に記載の操作レバーに相当し、露出窓８６は請求項に記載の露出部に相当する。
【００６１】
排紙トレイ８０は、図６に示されたように、補助トレイ１４０をスライド可能に支持する左右一対の支持リブ８９を備える。支持リブ８９は、排紙載置面８１Ａに対する基部８１の裏面から突出し、且つ、図６の縦方向５５に沿って延びる。支持リブ８９は、矩形板状に形成された補助トレイ１４０の左右両端部を、縦方向５５に沿ってスライド可能に支持する。補助トレイ１４０は、請求項に記載の第３トレイに相当する。
【００６２】
補助トレイ１４０は、排紙トレイ８０に収容された図６の収容姿勢と、排紙トレイ８０の回動先端から径方向に突出した図１０の支持姿勢と、にスライドにより移動する。補助トレイ１４０は、支持姿勢において、排紙ローラ対３３から排出された画像記録後の被記録媒体５４（図２参照）を排紙トレイ８０と共に支持する。補助トレイ１４０は、収容姿勢において、受け姿勢にある排紙トレイ８０の基部８１の左右方向５３における中央部の下方に収容されている。支持姿勢は請求項に記載の第７姿勢に相当し、収容姿勢は請求項に記載の第８姿勢に相当する。また、左右方向５３は請求項に記載の第１方向に相当する。
【００６３】
また、補助トレイ１４０は、図１０に示されたように、ストッパ１４１を収容する収容凹所１４０Ａを支持面側（図における上面側）に備えている。ストッパ１４１は、図の回動方向１４２に回動可能に補助トレイ１４０に支持されている。ストッパ１４１は、収容凹所１４０Ａに収容された姿勢と、補助トレイ１４０の上記支持面よりも上方に回動先端が位置するストップ姿勢と、に回動により姿勢変化する。ストッパ１４１は、ストップ姿勢において、排紙ローラ対３３から排出された画像記録後の被記録媒体５４の排出の向きにおける先端（すなわち、前端）が当接することで、排紙トレイ８０及び補助トレイ１４０からの被記録媒体５４の脱落を防止する。
【００６４】
排紙トレイ８０の前壁８２には、後述の表示機構１３０の表示部材１３１の移動部１３４をトレイ体５０の外部に露出させる表示窓８２Ａが設けられている。表示窓８２Ａは、請求項に記載の表示窓に相当する。また、図６に示されたように、排紙載置面８１Ａに対する基部８１の裏面からは、円柱状の支軸８１Ｂが受け姿勢においてメイントレイ６０側である下方に向かって突出している。支軸８１Ｂは、基部８１の回動先端側において、リリースレバー１０５及び操作レバー７３と同じ右部に設けられている。
【００６５】
［表示機構１３０］
表示機構１３０は、図６に示されたように、表示部材１３１と、この表示部材１３１を付勢する第２ばね１３６と、を備えている。表示部材１３１は、上述の支軸８１Ｂが差し込まれ支軸８１Ｂに対して回動可能なリング部１３２と、このリング部１３２から排紙トレイ８０の前壁８２に向かって突出する連結片１３３と、この連結片１３３の突出の先端に取り付けられた移動部１３４と、リング部１３２から後方に向かって突出した第１当接部１３５と、を一体で備えた合成樹脂成型品である。表示機構１３０は請求項に記載の表示機構に相当する。また、表示部材１３１は請求項に記載の表示部材に相当し、第１当接部１３５は請求項に記載の第１当接部に相当し、移動部１３４は請求項に記載の移動部に相当する。また、移動部１３４及び表示窓８２Ａは、請求項に記載の表示部に相当する。
移動部１３４は、その前側に第１表示面１３４Ａと、第２表示面１３４Ｂとを有しており、第１表示面１３４Ａと第２表示面１３４Ｂとは角度をもって連結されており、本実施形態では、第１表示面１３４Ａは第２表示面１３４Ｂより左方にある。移動部１３４は、表示窓８２Ａを介して外部から視認可能な位置に配置されている。
【００６６】
表示部材１３１は、セカンドトレイ７０が退避位置にあると、図８（Ａ）の第２表示姿勢となり、セカンドトレイ７０が給送位置にあると、図８（Ｂ）の第１表示姿勢となるように形成されている。すなわち、第２表示姿勢においては、移動部１３４は、左右方向５３における右側に寄った位置となり、第１表示姿勢においては、移動部１３４は、左右方向５３における第２表示姿勢よりも左側に寄った位置となる。第１当接部１３５は、給送位置から退避位置に移動する途中からセカンドトレイ７０の回動部７２の第２当接部７４に当接し、更に退避位置に向かってセカンドトレイ７０が移動すると、第１当接部１３５が押される。第１当接部１３５がセカンドトレイ７０に押されることで表示部材１３１は支軸８１Ｂを中心に回動し、第１表示姿勢から第２表示姿勢に姿勢変化する。上述の第２ばねは１３６は、例えば、ねじりコイルばねであり、表示部材１３１が第２表示姿勢から第１表示姿勢に姿勢変化する向きに表示部材１３１を付勢している。従って、セカンドトレイ７０が退避位置から給送位置に移動すると、第２ばねの付勢力により、表示部材１３１は第２表示姿勢から第１表示姿勢に姿勢変化する。第１表示姿勢は請求項に記載の第１姿勢に相当し、第２表示姿勢は請求項に記載の第２姿勢に相当する。また、第２ばね１３６は、請求項に記載の付勢部材に相当する。また、第１表示面１３４Ａは請求項に記載の第１表示面に相当し、第２表示面１３４Ｂは請求項に記載の第２表示面に相当する。
【００６７】
なお、セカンドトレイ７０のスライド部７１は上述のロック部材１０１により前方位置で固定され、その固定力は第２ばね１３６の付勢力よりも大きいため、第２ばね１３６により付勢された表示部材１３１によりスライド部７１が後方位置に押し戻されることはない。
【００６８】
表示部材１３１が支軸８１Ｂを中心に回動することにより、移動部１３４に設けられた第１表示面１３４Ａ及び第２表示面１３４Ｂが支軸８１Ｂを中心に回動して変位する。表示窓８２Ａの左の周壁の前面（前壁８２の前面の一部）には、セカンドトレイ７０が給送位置にあって第２被記録媒体５４Ｂに画像が記録されることを示す第１情報が表記されている。セカンドトレイ７０が給送位置にあって表示部材１３１の移動部１３４が左に寄った第１表示姿勢にある状態では、第１表示面１３４Ａが前壁８２の前面に沿っており、表示窓８２Ａを介して第１表示面１３４Ａを外部から容易に視認することができる。第２表示面１３４Ｂは第１表示面１３４Ａよりも右側に形成されているため、表示窓８２Ａの右の周壁によって覆い隠されている。従って、ユーザは、第１情報を読み取る。
【００６９】
表示窓８２Ａの右の周壁の前面（前壁８２の前面の一部）には、セカンドトレイ７０が退避位置にあって第１被記録媒体５４Ａに画像が記録されることを示す第２情報が表記されている。セカンドトレイ７０が退避位置にあって表示部材１３１の移動部１３４が右に寄った第２表示姿勢にある状態では、第２表示面１３４Ｂが前壁８２の前面に沿っており、表示窓８２Ａを介して第２表示面１３４Ｂを外部から容易に視認することができる。第１表示面１３４Ａは第２表示面１３４Ｂよりも左側に形成されているため、表示窓８２Ａの左の周壁によって覆い隠されている。従って、ユーザは、第２情報を読み取る。
【００７０】
上述のようにセカンドトレイ７０の位置や給送される被記録媒体５４の種類についての情報が表示窓８２Ａの左右の周壁の前面の２箇所に表記されており、セカンドトレイ７０のスライドにより表示部材１３１が回動し、移動部１３４が上記２箇所のいずれか一方の側に寄るため、セカンドトレイ７０の位置及び給送される被記録媒体５４の種類をユーザに容易に認識させることができる。
【００７１】
また、表示部材１３１は、排紙トレイ８０の前端部寄りの位置に配置されており、表示窓８２Ａは前壁８２に設けられているから、ユーザは、トレイ体５０が画像記録装置本体１１に装着された状態において、画像記録装置本体１１の前側から移動部１３４を視認することができ、第１被記録媒体５４Ａと第２被記録媒体５４Ｂとのいずれに画像が記録されるか容易に知ることができる。
【００７２】
また、移動部１３４は、支軸８１Ｂを中心に回動するため、表示面が一面のみであると、第１表示姿勢又は第２表示姿勢の一方の姿勢においては表示面が前壁８２の前面に沿わず、表示面を視認し難くなるが、本実施形態では、角度を持って形成された第１表示面１３４Ａと第２表示面１３４Ｂとの２面が設けられていることにより、第１表示姿勢においても第２表示姿勢においても表示面が前壁８２の前面に沿い、その結果、ユーザによる表示面の視認を容易にすることができる。
【００７３】
本実施形態では、第１表示面１３４Ａと第２表示面１３４Ｂとの位置を変えることで表示窓８２Ａからユーザが視認できる表示面を変え、表示を切り替える構成が説明されたが、第１表示面１３４Ａと第２表示面１３４Ｂとの向きにより表示を切り替える構成が採用されてもよい。すなわち、表示窓８２Ａから第１表示面１３４Ａ及び第２表示面１３４Ｂの両方を外部に露出させ、給送姿勢１３４Ａと退避姿勢１３４Ｂとで第１表示面の向きと第２表示面１３４Ｂの向きとを変え、表示窓８２Ａの開口面に沿う方の表示面により第１被記録媒体５４Ａと第２被記録媒体５４Ｂとのいずれに画像が記録されるかをユーザに認識させる。
【００７４】
本実施形態では、移動部１３４を目立たせるために、合成樹脂成型品である表示部材１３１を排紙トレイ８０とは異なる色で成型している。移動部１３４は、表示窓８２Ａにより縁取られることで、且つ、排紙トレイ８０とは異なる色で形成されることで、ユーザに認識され易くなっている。なお、排紙トレイ８０と移動部１３４とは同じ材質や同じ色であってもよい。
【００７５】
また、本実施形態では、移動部１３４と操作レバー７３とは同色で形成されている。したがって、移動部１３４と操作レバー７３とを関連付けてユーザに認識させることができる。つまり、操作レバー７３を操作してセカンドトレイ７０を移動させることで表示が切り替わり、移動部１３４がセカンドトレイ７０の位置、すなわち、画像が記録される被記録媒体５４の種類を表示していることをユーザに容易に認識させることができる。
【００７６】
［表示機構１３０の動作］
最初に、排紙トレイ８０が受け姿勢であるときにセカンドトレイ７０が給送位置から退避位置にユーザによりスライドされた場合における表示機構１３０の動作について説明がされる。スライドされたセカンドトレイ７０が退避位置に向かう移動の途中で、上述の第２当接部７４は、表示部材１３１の第１当接部１３５に当接し、更に退避位置に向かってセカンドトレイ７０が移動すると第１当接部１３５がセカンドトレイ７０に押される。第１当接部１３５が押されることにより、上述の第２ばね１３６の付勢力に抗して表示部材１３１が支軸８１Ｂを中心に回動し、第１表示姿勢から第２表示姿勢に向かって姿勢変化する。そして、セカンドトレイ７０が退避位置まで移動すると、表示部材１３１は第２表示姿勢となりそのまま維持される。表示部材１３１が姿勢変化することにより、移動部１３４の位置が変わり、表示窓８２Ａから外部に露出されていた第１表示面が排紙トレイ８０の前壁８２により隠され、前壁８２に隠されていた第２表示面が表示窓８２Ａから露出される。なお、セカンドトレイ７０のスライド部７１が上述のロック部材１０１により上述の前方位置でロックされることにより、表示部材１３１は第２表示姿勢で保持される。
【００７７】
退避位置にあったセカンドトレイ７０が給送位置に戻されると、表示部材１３１はセカンドトレイ７０により第２表示姿勢で保持されなくなり、退避位置から移動するセカンドトレイ７０の第２当接部７４と第１当接部１３５とが当接しながら第２ばね１３６の付勢力により回動し、第２表示姿勢から第１表示姿勢に姿勢変化する。その後、第２当接部７４が第１当接部１３５から離れ、表示部材１３１はそのまま第１表示姿勢を維持する。表示部材１３１が姿勢変化することにより、第１表示面が表示窓８２Ａから露出される。
【００７８】
次に、セカンドトレイ７０が給送位置にあるときに排紙トレイ８０が開かれて補給姿勢に姿勢変化された後、セカンドトレイ７０が退避位置に移動され、その後、排紙トレイ８０が閉じられて受け姿勢に姿勢変化された場合における表示機構１３０の動作について説明がされる。表示部材１３１は、第２ばね１３６の付勢力によって第１表示姿勢となっている。その状態から、排紙トレイ８０が閉じられると、受け姿勢となる途中で第１当接部１３５は第２当接部７４に設けられた上述の第１傾斜面７４Ａと当接する。更に排紙トレイ８０が閉じられると、第１当接部１３５が第１傾斜面７４Ａ上を滑りながら当接することで、表示部材１３１が支軸８１Ｂを中心に回動する。表示部材１３１が回動することで、表示部材１３１は第２表示姿勢に向かって姿勢変化する。排紙トレイ８０が完全に閉じられると、第２当接部７４の第１傾斜面７４Ａよりも下方の面に当接した第２表示姿勢となってセカンドトレイ７０が退避姿勢であることを示すよう、上述と同様に表示が切り替わる。
【００７９】
［本実施形態の効果］
本実施形態では、セカンドトレイ７０が給送位置又は退避位置に移動されることにより、給送ローラ２３により送り出される被記録媒体５４を、メイントレイ６０の底６１に載置された第１被記録媒体５４Ａ、又は、セカンドトレイ７０に載置された第２被記録媒体５４Ｂに変えることができる。また、セカンドトレイ７０と排紙トレイ８０とが別部材であることにより、セカンドトレイ７０のスライドにより排紙トレイ８０が移動せず、排紙トレイ８０の高さ位置をセカンドトレイ７０よりも高くして排紙ローラ対３３に近付けることができ、その結果、排紙トレイ８０がフレームなどと干渉することを考慮せず、排紙トレイ８０の位置を高くして上記排出部に近付けることができ、上記排出部から排出された画像記録後の被記録媒体を排紙トレイ８０で正常に受けることができる。
【００８０】
また、本実施形態では、上述のように、表示機構１３０によりセカンドトレイ７０の位置に応じて表示を切り替えることができ、その結果、排紙トレイ８０によりセカンドトレイ７０が覆われていても、セカンドトレイ７０の位置をユーザに認識させることができる。
【００８１】
また、スライドするセカンドトレイ７０により表示部材１３１を押すことで表示を切り替えるから、表示部材１３１という簡単な構成でセカンドトレイ７０の位置をユーザに認識させることができる。
【００８２】
また、第２当接部７４に第１傾斜面７４Ａが設けられることで、セカンドトレイ７０が給送位置にあるときに排紙トレイ８０が開かれて補給姿勢に姿勢変化され後、セカンドトレイ７０が退避位置に移動され、その後、排紙トレイ８０が閉じられて受け姿勢に姿勢変化された場合においても、排紙トレイ８０を閉じることができ、且つ、表示を切り替えることができ、更に、表示部材１３１の破損を防止することができる。
【００８３】
また、上述されたように、表示部材１３１のリング部１３２は排紙トレイ８０に設けられた支軸８１Ｂが挿入され、この支軸８１Ｂは排紙トレイ８０の右部に設けられており、操作レバー７３、リリースレバー１０５、露出窓８６及びロック部材１０１もセカンドトレイ７０の右部に設けられており、表示部材１３１、操作レバー７３、リリースレバー１０５、露出窓８６及びロック部材１０１は、固定壁であるメイントレイ６０の右の側壁６２側に集めて配置されている。ユーザにより力が加えられる側（右側）に表示部材１３１が配置されることにより、表示の切り替えが正確になる。
【００８４】
また、排紙トレイ８０に補助トレイ１４０が引き出し自在に設けられることにより、排出された画像記録後の被記録媒体５４の支持量を増やすことができ、また、記録枚数が少ない場合や比較的小さな被記録媒体５４に画像を記録する場合は、トレイ体５０をコンパクトにすることができる。
【００８５】
また、補助トレイ１４０を左右方向５３における排紙トレイ８０の中央部に収容することで、表示機構１３０を排紙トレイ８０に設けるスペースを確保することができる。
【００８６】
また、表示部材１３１を排紙トレイ８０の回動先端側に設けることにより、セカンドトレイ７０が退避位置の近くまで移動したときに表示が切り替わり始めるから、表示が完全に切り替わっていないことによりセカンドトレイ７０が退避位置に完全に移動していないことをユーザに認識させることができる。
【００８７】
本実施形態では、セカンドトレイ７０のスライドにより表示部材１３１を姿勢変化させて表示を切り替える表示機構１３０が説明されたが、表示機構１３０の代わりに、電源部と、この電源部からの電力供給により点灯されるＬＥＤなどの表示部と、セカンドトレイ７０のスライドによりオンオフされるタクトスイッチなどのセンサと、を備えた表示機構が設けられてもよい。セカンドトレイ７０のスライドによりタクトスイッチがオンオフされ、ＬＥＤが点灯又は消灯し、ＬＥＤの点灯、消灯により表示が切り替わる。
【００８８】
また、本実施形態では、移動部１３４を左右のどちらかに寄せることで第１情報と第２情報とのどちらをユーザに読ませるかを変える構成が説明されたが、第１表示面１３４Ａ及び第２表示面１３４Ｂに矢印を表記し、矢印の向きが変わることでセカンドトレイ７０の位置や画像が記録される被記録媒体５４の種類をユーザに認識させる構成を採用することもできる。また、第１情報と第２情報とは、メイントレイ６０に載置される第１被記録媒体５４Ａの種類とセカンドトレイ７０に載置される第２被記録媒体５４Ｂの種類と、が記載されていてもよいし、使用トレイであるトレイ名やセカンドトレイ７０の使用可否等が記載されていてもよい。すなわち、セカンドトレイ７０の位置に関連した情報が表示機構１３０によって表示及び切り換えられていればよい。また、第１表示面１３４Ａや第２表示面１３４Ｂにセカンドトレイ７０の位置や画像が記録される被記録媒体５４の種類が記載され、表示面の法線方向の向きを変えることで、表示が切り替わる構成であってもよい。
【００８９】
また、本実施形態では、表示部材１３１が回動可能に排紙トレイ８０に設けられた例が説明されたが、表示部材１３１はスライド可能に排紙トレイ８０に設けられてもよい。また、本実施形態では、第２当接部７４に第１傾斜面７４Ａが設けられた例が説明されたが、第１傾斜面７４Ａは、表示部材１３１の第１当接部１３５に設けられてもよい。
【００９０】
また、本実施形態では、セカンドトレイ７０が退避位置の近くまで移動したときにセカンドトレイ７０が表示部材１３１を押して表示が切り替わり始める例が説明されたが、セカンドトレイ７０が給送位置から移動し始めた直後に表示が切り替わり始める構成を採用することもできる。この構成が採用された場合、表示部が適正な位置にあることと、不適正な位置にあることとにより、セカンドトレイ７０が給送位置にあること、セカンドトレイ７０が退避位置にあること、及び、セカンドトレイ７０が給送位置と退避位置との間の不適切な位置にあることをユーザに認識させることができる。なお、表示部材１３１に第３表示面が設けられ、この第３表示面にセカンドトレイ７０が不適切な位置にあることを示す情報が表記されてもよい。
【００９１】
また、第２ばね１３６のように付勢手段を設けずに、セカンドトレイ７０に一部が係合することで、セカンドトレイ７０が給送位置に移動するに伴って表示部材１３１も回動し、第１表示姿勢となるよう構成しても良い。例えば、表示部材１３１にピニオンギアを設け、このピニオンギアに噛み合うラックギアをセカンドトレイ７０に設け、セカンドトレイ７０の移動に連動して表示部材１３１を回動させる。
【００９２】
また、表示部材１３１は、セカンドトレイ７０の移動に伴って移動部１３４の位置が変化すればよく、回動だけでなく直線的に動作しても良い。表示窓８２Ａは窓状ではなく、切欠であっても良い。また、排紙トレイ８０としての排紙受け部が、画像記録装置本体１１に形成されており、トレイ体５０には、蓋が別体として設けられていても良い。
【符号の説明】
【００９３】
５０・・・トレイ体（トレイ体）
６０・・・メイントレイ（第１トレイ）
７０・・・セカンドトレイ（第２トレイ）
８０・・・排紙トレイ（排紙受け部、蓋）
１３０・・表示機構（表示機構）
１３１・・表示部材（表示部材）
１３４・・移動部（移動部）
１３５・・第１当接部（第１当接部）
【図１】
0005605141.tif 000002
【図２】
0005605141.tif 000003
【図３】
0005605141.tif 000004
【図４】
0005605141.tif 000005
【図５】
0005605141.tif 000006
【図６】
0005605141.tif 000007
【図７】
0005605141.tif 000008
【図８】
0005605141.tif 000009
【図９】
0005605141.tif 000010
【図１０】
0005605141.tif 000011